(57)【要約】【課題】  遊技用表示機の周囲に付設された装飾部品が欄間から幕板にかかるような場合でも、欄間よりも張り出した幕板への接触を回避でき、かつ、その幕板を開閉可能とする。【解決手段】  遊技機２の近傍に設けられるとともに遊技機２に関する所定の情報を表示する遊技用表示機１であって、当該遊技用表示機１が取り付けられる取付面３から離間する方向に、当該遊技用表示機１の全体又は一部をスライド移動させるための移動機構を備え、移動機構は、取付面３ｃよりも張り出した上位部材４に接触しないところまで、又は、その上位部材４を開閉したときに当該上位部材４が遊技用表示機１に接触しないところまで、遊技用表示機１の全体又は一部をスライド移動させる。【選択図】    図４
2014079466.tif 000002
【特許請求の範囲】
【請求項１】
遊技機の近傍に設けられるとともに前記遊技機に関する所定の情報を表示する遊技用表示機であって、
当該遊技用表示機が取り付けられる取付面から離間する方向に、当該遊技用表示機の全体又は一部をスライド移動させるための移動機構を備え、
前記移動機構は、
前記取付面の上方に位置する上位部材が前記取付面よりも張り出している場合において、前記取付面に取り付けようとした前記遊技用表示機の上部が前記上位部材に当接することで当該遊技用表示機を前記取付面に取り付けることができないときに、この遊技用表示機が前記取付面に取り付け可能となるように、前記遊技用表示機の全体又は一部を前記上位部材から離間する方向にスライド移動させる
ことを特徴とする遊技用表示機。
【請求項２】
遊技機の近傍に設けられるとともに前記遊技機に関する所定の情報を表示する遊技用表示機であって、
当該遊技用表示機が取り付けられる取付面から離間する方向に、当該遊技用表示機の全体又は一部をスライド移動させるための移動機構を備え、
前記移動機構は、
前記取付面に前記遊技用表示機が取り付けられた場合において、前記取付面の上方に設けられた開閉可能な上位部材の前方に前記遊技用表示機の上部が位置することで、開こうとした前記上位部材が前記遊技用表示機の上部に当接してそれ以上開くことができないときに、前記上位部材が前記当接した位置よりも先に開扉可能となるように、前記遊技用表示機の全体又は一部をスライド移動させる
ことを特徴とする遊技用表示機。
【請求項３】
前記移動機構は、
前記取付面を有する部材又は前記取付面に固定される前記遊技用表示機の一部に設けられた固定側機構部と、
前記取付面から離間する方向に前記遊技用表示機の全体がスライド移動するときの当該遊技用表示機、又は、前記取付面に固定された前記遊技用表示機の一部に対してスライド移動する前記遊技用表示機の他の一部に設けられた移動側機構部とを有し、
前記移動側機構部が前記固定側移動部に接しながら前記取付面から離間する方向にスライド移動することで、前記移動側機構部が設けられた前記遊技用表示機の全体又は一部が前記取付面から離間する方向にスライド移動する
ことを特徴とする請求項１又は２記載の遊技用表示機。
【請求項４】
前記固定側機構部又は前記移動側機構部の一方に、前記スライド移動の方向に複数形成された凹部を有し、他方に、前記凹部に係合する凸部を有し、
前記取付面から離間する方向に前記遊技用表示機の全体又は一部をスライド移動させたときに、前記凸部が前記複数の凹部に順次係合していくことで段階的にスライド移動し、前記凸部が前記複数の凹部のいずれかに係合した状態で前記スライド移動を停止すると当該遊技用表示機の全体又は一部が静止する
ことを特徴とする請求項３記載の遊技用表示機。
【請求項５】
前記移動側機構部が前記固定側機構部に接しながら前記遊技用表示機の全体又は一部がスライド移動するとともに、前記上位部材が接触しないところまで前記遊技用表示機の全体又は一部が前記取付面から離間する方向にスライド移動したときの、前記固定側機構部における当該遊技用表示機の全体又は一部の移動後の位置を接触回避位置とし、
前記移動機構が、前記固定側機構部における前記接触回避位置に装着される位置決め部材を備え、
前記位置決め部材は、
前記接触回避位置に位置する前記遊技用表示機の全体又は一部に当接することで、当該遊技用表示機の全体又は一部が前記接触回避位置よりも前記取付面に近づく方向へスライド移動するのを制限する
ことを特徴とする請求項３又は４記載の遊技用表示機。
【請求項６】
前記遊技用表示機の全体又は一部を前記スライド移動させる行為を防止するための移動防止機構を備え、
この移動防止機構は、
前記遊技用表示機の全体若しくは一部に形成された移動側被係合部、又は、前記移動側機構部に形成された移動側被係合部に対して、係合する移動側係合部と、
前記取付面を有する部材に形成された固定側被係合部、又は、前記固定側機構部に形成された固定側被係合部に対して、係合する固定側係合部とを備え、
通常状態では、前記移動側係合部が前記移動側被係合部に係合するとともに、前記固定側係合部が前記固定側被係合部に係合することで、前記遊技用表示機の全体又は一部の前記スライド移動を制限し、
前記移動側被係合部に対する前記移動側係合部の係合、又は、前記固定側被係合部に対する前記固定側係合部の係合を解除することで、前記遊技用表示機の全体又は一部の前記スライド移動を可能とする
ことを特徴とする請求項３〜５のいずれかに記載の遊技用表示機。
【請求項７】
前記遊技機に関する所定の情報を表示するデータ表示部と、
このデータ表示部を収納する筐体と、
所定の形状に形成されて前記筐体の周面に取り付けられた付設部とを備え、
前記固定側機構部は、前記筐体の周面に取り付けられる板状の基部を有し、
この基部は、
前記筐体の周面に取り付けられたときに当該筐体の前面側に位置する第一側面と、
この第一側面に隣接する第二側面と、
前記第一側面に隣接するとともに前記第二側面に対向する第三側面とを有し、
前記第二側面には、前記第一側面の近傍に、当該第二側面から直交外方に突出した第一回転軸を有し、
前記第三側面には、前記第一側面の近傍に、当該第三側面から直交外方に突出した第二回転軸を有し、
前記取付面から離間する方向に前記付設部をスライド移動させたときに、前記付設部の背面が前記基部の前記第一側面の近傍に達すると、前記基部の前記第一回転軸と前記第二回転軸が前記付設部の内部に形成された軸受に係合し、前記第一回転軸及び前記第二回転軸を中心として前記付設部が下方へ回動して、当該付設部が前記第一回転軸及び前記第二回転軸よりも下方に垂下する
ことを特徴とする請求項３〜６のいずれかに記載の遊技用表示機。
【請求項８】
前記移動機構により移動可能な前記遊技用表示機の一部に、所定のパターンで光を発する発光素子を備え、
前記移動機構の前記固定側機構部は、前記発光素子に電流を流すためのケーブルを支持する複数のガイドを有し、
これら複数のガイドは、前記ケーブルが前記固定側機構部の下方へ向かって撓むのを防止可能な間隔で配置された
ことを特徴とする請求項３〜７のいずれかに記載の遊技用表示機。
【発明の詳細な説明】
【技術分野】
【０００１】
本発明は、複数の遊技機のそれぞれに対応して設置され、遊技機に関する所定の情報を表示する遊技用表示機に関し、特に、所定の物品や所定のキャラクターなどの形状を立体的に表現した装飾部品が筐体の周面に付設された遊技用表示機に関する。
【背景技術】
【０００２】
一般に、スロットマシンやパチンコ機などの遊技機に併設され、遊技機に関する所定の情報を報知する報知手段を備えた遊技用表示機が知られている（例えば、特許文献１参照）。
この種の遊技用表示機に属する具体的な装置として、例えば、ＬＥＤやランプなどの表示手段、音声や効果音を発するスピーカなどの音出力手段を、報知手段として備えるとともに、遊技者による操作に基づいて所定の呼出演出を行うことで遊技場の店員を呼び出す機能を備えた、いわゆる呼出ランプが挙げられる。
【０００３】
ところで、多数の遊技機が配置される遊技場においては、複数の遊技機を一列又は二列の列状に並べて収納できるように設計された島台と呼ばれる収納筐体を設置し、この島台に遊技機を収納して、多数の遊技機を配置するようにしている。
島台は、遊技機を収納するための開口部と、この開口部の上方に、外側に向かって開閉可能に取り付けられた幕板とを備え、さらに、これら幕板と開口部との間に、開閉しない平板状の欄間が配設されており、この欄間の表面に、上述した遊技用表示機が取り付けられる。
【先行技術文献】
【特許文献】
【０００４】
【特許文献１】特開２００９−２３３０２２号公報
【発明の概要】
【発明が解決しようとする課題】
【０００５】
しかしながら、従来の遊技用表示機においては、次のような問題があった。
遊技用表示機の中には、所定の物品や所定のキャラクターなどの形状を立体的に表現した装飾部品をその表面に付したものが多い。この装飾部品には、ＬＥＤなどの発光素子を内蔵したものがあり、このＬＥＤを点灯させることで発光による演出が可能となっている。そして、このような装飾部品を数多く付設したり、装飾部品自体の大きさを大きくしたりすることで華やかな演出が可能となり、演出効果を高めることができる。
【０００６】
ただし、遊技用表示機の筐体の上面に付設された装飾部品の大きさを大きくすると、当該遊技用表示機の高さが高くなり、この遊技用表示機を欄間に取り付けたときに、その装飾部品が欄間の上辺を越えて幕板の前方にまでかかってしまうことがある。
また、島台の中には、例えば、特開平８−７１２３９号公報の図１等に示すように、幕板が欄間よりも前方に張り出しているものがあり、このような島台の欄間に対して呼出ランプを取り付けようとすると、その呼出ランプの裏面が欄間の表面に接触する前に、当該呼出ランプの装飾部品の裏面が幕板に接触してしまって、当該呼出ランプを欄間に取り付けることができなくなるという問題があった。
【０００７】
さらに、幕板が欄間よりも張り出しておらず、これら幕板と欄間が同一面となっている場合でも、次のような問題があった。
幕板は、前述したように開閉可能となっているが、欄間に呼出ランプを取り付けたときの当該呼出ランプの装飾部品が幕板に大きくかかっている場合、その幕板を開けようとしたときに、その幕板の下辺が装飾部品の背面に当接してしまって、その幕板を開けることができなくなるという問題があった。
【０００８】
本発明は、上記の問題を解決すべくなされたものであり、幕板が欄間よりも前方に張り出している場合において、欄間に取り付けようとする遊技用表示機の装飾部品が欄間の上辺を越えて幕板にかかるために当該装飾部品がこの幕板に当接してしまうときでも、当該遊技用表示機を欄間に対して取付可能とするとともに、その遊技用表示機の装飾部品が幕板にかかるときでも、この幕板の開閉を可能とする遊技用表示機の提供を目的とする。
【課題を解決するための手段】
【０００９】
この目的を達成するため、本発明の遊技用表示機は、遊技機の近傍に設けられるとともに遊技機に関する所定の情報を表示する遊技用表示機であって、当該遊技用表示機が取り付けられる取付面から離間する方向に、当該遊技用表示機の全体又は一部をスライド移動させるための移動機構を備え、移動機構は、取付面の上方に位置する上位部材が取付面よりも張り出している場合において、取付面に取り付けようとした遊技用表示機の上部が上位部材に当接することで当該遊技用表示機を取付面に取り付けることができないときに、この遊技用表示機が取付面に取り付け可能となるように、遊技用表示機の全体又は一部を上位部材から離間する方向にスライド移動させる構成としてある。
【００１０】
また、本発明の遊技用表示機は、遊技機の近傍に設けられるとともに遊技機に関する所定の情報を表示する遊技用表示機であって、当該遊技用表示機が取り付けられる取付面から離間する方向に、当該遊技用表示機の全体又は一部をスライド移動させるための移動機構を備え、移動機構は、取付面に遊技用表示機が取り付けられた場合において、取付面の上方に設けられた開閉可能な上位部材の前方に遊技用表示機の上部が位置することで、開こうとした上位部材が遊技用表示機の上部に当接してそれ以上開くことができないときに、上位部材が当接した位置よりも先に開扉可能となるように、遊技用表示機の全体又は一部をスライド移動させる構成としてある。
【発明の効果】
【００１１】
本発明の遊技用表示機によれば、移動機構により遊技用表示機の全体又は一部を移動させることができるので、欄間よりも張り出した幕板に遊技用表示機の一部が接触するのを回避でき、かつ、開閉する上位部材である幕板が遊技用表示機に接触するのを回避できる。
【図面の簡単な説明】
【００１２】
【図１】島台に配置される遊技機と呼出ランプの構成を示す外観斜視図である。
【図２】本発明の実施形態における呼出ランプの構成を示す図であって、（ｉ）は、上面図、（ii）は、正面図、（iii）は、側面図である。
【図３】呼出ランプの制御系の構成を示すブロック図である。
【図４】呼出ランプを斜め上方向から見た状態を示す外観斜視図であって、（ｉ）は、付設部を最も押し込んだ状態を示す図、（ii）は、付設部を手前に引き出した状態を示す図、（iii）は、付設部を筐体の正面側に垂下させて状態を示す図である。
【図５】付設部と基部を斜め上方向から見た状態を示す外観斜視図である。
【図６】付設部と基部を斜め下方向から見た状態を示す外観斜視図である。
【図７】付設部と基部を斜め下方向から見た状態を示す分解斜視図である。
【図８】基部に対して付設部を押し込んだ状態を示す図であって、（ｉ）は、底面図、（ii）は、縦方向断面図（（ｉ）のＡ−Ａ断面図）である。
【図９】基部から付設部を引き出した状態を示す図であって、（ｉ）は、底面図、（ii）は、縦方向断面図（（ｉ）のＢ−Ｂ断面図）である。
【図１０】欄間よりも張り出した幕板に付設部が接触した状態を示す側面図（ｉ）と、付設部を移動することで幕板への接触を回避して、呼出ランプを欄間に取付可能とした状態を示す側面図（ii）である。
【図１１】開いた幕板が付設部に当接した状態を示す側面図（ｉ）と、付設部を移動することで幕板の当接を回避した状態を示す側面図（ii）である。
【図１２】位置決め部材の構成を示す外観斜視図である。
【図１３】第一の移動防止機構を備えた付設部の構成を示す断面図であって、（ｉ）は、通常状態を示す図、（ii）は、係止解除状態（付設部の移動が可能な状態）を示す図である。
【図１４】第二の移動防止機構を備えた付設部の構成を示す断面図であって、（ｉ）は、通常状態を示す図、（ii）は、係止解除状態（付設部の移動が可能な状態）を示す図である。
【図１５】第三の移動防止機構を備えた付設部の構成を示す図であって、（ｉ）は、側面図、（ii）は、背面図である。
【図１６】摺動機構の構成を示す側面図である。
【図１７】摺動機構の他の構成を示す側面図である。
【発明を実施するための形態】
【００１３】
以下、本発明に係る遊技用表示機の好ましい実施形態について、図面を参照して説明する。
【００１４】
遊技機の近傍、例えば遊技機の上方や側方などに配置されるとともに、ＬＥＤやランプなどの表示手段、所定の音声や効果音を発するスピーカなどの音出力手段を、報知手段として備える遊技用表示機としては、様々な形態や種類のものがあるが、本実施形態では、これら表示手段と音出力手段を備えながらも、遊技者による操作に基づいて所定の呼出演出を行うことで遊技場の店員を呼び出す、いわゆる呼出ランプに本発明を適用した場合について説明する。
【００１５】
［呼出ランプ］
本実施形態の呼出ランプ１は、図１に示すように、当該呼出ランプ１の正面と遊技機２の正面とが略同一面上に並ぶように、その遊技機２の上方に設置され、かつ、その遊技機２の上方に立設された平板状の欄間３の表面に、この表面を取付面３ｃとして取り付けられる演出用装置であって、その欄間３の上方に設けられた上位部材である幕板４が欄間３よりも張り出しているときに、この幕板４に接触しないように、また、その幕板４が開閉するときに、この開閉を阻害しないように、呼出ランプ１の全体又は一部を、幕板４又は欄間３から離間する方向にスライド移動させることを可能とする移動機構を備えた構成となっている。
【００１６】
この呼出ランプ１は、図１に示すように、遊技場に設置された複数の遊技機２のそれぞれに対応して配置される。
遊技機２は、メダルや遊技球などの遊技媒体を使用して所定の遊技を実行する装置であり、具体的には、スロットマシン，パチンコ機，パロット、アレンジボール機，雀球機等の各種の遊技機が挙げられる。
これらの遊技機２からは、遊技の進行に伴って遊技信号が出力される。例えば、遊技機２がスロットマシンの場合には、当該スロットマシンへの遊技媒体の投入数を示すメダル投入信号、当該スロットマシンからの遊技媒体の払出数を示すメダル払出信号、遊技媒体を所定の割合で費やす通常遊技状態よりも遊技者にとって有利な遊技状態である特定遊技状態を示す特定遊技状態信号などが、遊技信号として出力される。
【００１７】
呼出ランプ１は、遊技機２から出力された遊技信号を受信すると、これら遊技信号に基づいて、ＬＥＤなどの表示手段と、所定の音声や効果音などをスピーカから発する音出力手段とからなる報知手段を駆動させて、所定の遊技情報を報知するように構成されている。
【００１８】
この呼出ランプ１は、図２（ｉ）〜（iii）に示すように、所定の遊技データを表示するデータ表示部１１と、このデータ表示部１１を収納する筐体１２と、この筐体１２の外側周面に付設された付設部２０と、を備えている。
【００１９】
データ表示部１１は、図３に示すように、遊技機２から出力された遊技信号を受信する通信部１１１と、受信した遊技信号から所定の遊技データを生成する遊技データ生成部１１２と、生成された遊技データを表示する表示手段である７セグメントディスプレイ１１３と、この７セグメントディスプレイ１１３を駆動するドライバ回路１１４と、遊技機２に関する情報を音声や効果音からなる音出力パターンで報知する音出力手段である音出力部１１５と、ＣＰＵなどの中央演算処理装置、ＲＯＭ、ＲＡＭなどの記憶手段を備えるコンピュータとして構成され、通信部１１１で受信された遊技信号や遊技データ生成部１１２で生成された遊技データに基づいて、ドライバ回路１１４と音出力部１１５と後述するＬＥＤ１２１、２２１とを駆動制御する制御部１１６と、を備えている。
【００２０】
また、データ表示部１１は、遊技場の店員を呼び出す際に押下される呼出ボタン１１７と、７セグメントディスプレイ１１３に表示されているデータの内容や種類を切り換える際に押下されるデータボタン１１８とを備えている。
呼出ボタン１１７が押下されたときには、制御部１１６は、データ表示部１１に内蔵された音出力部１１５と筐体１２に設けられたＬＥＤ１２１とを駆動制御することにより、所定の呼出演出を実行する。また、データボタン１１８が押下されたときは、制御部１１６は、その押下の回数に応じて、７セグメントディスプレイ１１３に表示されているデータの内容や種類を切り換えて表示させるようになっている。
【００２１】
筐体１２は、データ表示部１１を収納可能な大きさで形成された中空で横長直方体状の箱型部材であって、この筐体１２の周面内側には、発光素子である複数のＬＥＤ１２１（光源）が配設されている。
ＬＥＤ１２１は、制御部１１６からの指示を受けたＬＥＤドライバ回路１２６による点灯制御により、遊技機２に関する情報を所定の光出力パターンで発光することにより報知する。
【００２２】
付設部２０は、所定の物品や所定のキャラクターなど（例えば、ピエロの帽子や手袋など）の形状と同一又は類似の形状に立体形成された装飾用の部品であって、例えば、合成樹脂などで形成されており、発光素子である複数のＬＥＤ（光源）２２１が内部に配設されている。
ＬＥＤ２２１は、制御部１１６からの指示を受けたＬＥＤドライバ回路２２２による点灯制御により、遊技機２に関する情報を所定の光出力パターンで発光することにより報知する。
【００２３】
この付設部２０の背面２１は、図２（ｉ）、（iii）に示すように、垂直面（呼出ランプ１が欄間３の表面である取付面３ｃに取り付けられているときは、その取付面３ｃ）に対して所定の角度θだけ傾斜した傾斜面２１１として形成されている。
また、筐体１２においては、当該筐体１２の背面１２２と上面１２３との間に位置する角部に、テーパ状の傾斜面１２４が形成されている。
これら付設部２０の傾斜面２１１と筐体１２の傾斜面１２４は、いずれも略同じ傾斜角度θを有する傾斜面として形成されており、筐体１２の上面１２３に付設部２０を取り付けたときに、それら傾斜面２１１と傾斜面１２４が連続した一連の斜面として構成される。
そして、これら連続した傾斜面２１１と傾斜面１２４は、筐体１２の傾斜面１２４の下辺を起点としたときに、ここから上方に向かって、垂直面から離間する方向に傾斜した斜面として構成される。
これにより、当該呼出ランプ１が取り付けられた欄間３の上方に位置する幕板４が欄間３よりも張り出しているときに、この幕板４に接触しないようになっている。また、その幕板４を開いたときに当該幕板４の下辺が描く軌道から呼出ランプ１の付設部２０を離間させることができ、これにより、その付設部２０が幕板４の開扉を阻害しないようになっている。
【００２４】
ただし、上記のように付設部２０に傾斜面２１１を形成し、かつ、筐体１２に傾斜面１２４を形成しただけでは、欄間３よりも張り出した幕板４に接触するのを回避できない場合や、幕板４の開閉への阻害を回避できない場合がある。
例えば、欄間３に取り付けられた呼出ランプ１を正面側から見たときに、この呼出ランプ１の付設部２０が欄間３の上辺を越えて幕板４に少しだけかかっている場合には、それら傾斜面２１１、１２４が形成されることにより、欄間３よりも張り出した幕板４への接触を回避でき、かつ、幕板４の開閉に対する阻害を回避できる。
ところが、幕板４に対して付設部２０が大きくかかっている場合には、それら傾斜面２１１、１２４を形成したとしても、付設部２０が、欄間３よりも張り出した幕板４に接触してしまうことがある（図１０（ｉ）参照）。このような場合は、呼出ランプ１の背面１２２を欄間３の取付面３ｃに面接触させることができなくなるので、この呼出ランプ１をその取付面３ｃに取り付けることができなくなってしまう。
また、幕板４に対して付設部２０が大きくかかっている場合には、それら傾斜面２１１、１２４を形成したとしても、幕板４を開閉したときの当該幕板４の下辺の軌道Ｌと付設部２０とが重なってしまうため（図１１（ｉ）参照）、開いた幕板４の下辺が付設部２０の背面２１に当接してしまう。
そこで、本実施形態の呼出ランプ１は、付設部２０が幕板４に対して大きくかかっている場合でも、その付設部２０が欄間３よりも張り出した幕板４に接触したり、幕板４の開閉を阻害したりしないように、当該呼出ランプ１の全体又は一部を、幕板４又は欄間３の取付面３ｃから離間する方向にスライド移動させることが可能な移動機構を備えた構成となっている。
この移動機構の構成について、図４〜図１１を参照しながら説明する。
【００２５】
［移動機構］
移動機構には、呼出ランプ１の一部である筐体１２を欄間３の取付面３ｃに固定した状態で呼出ランプ１の他の一部である付設部２０のみをスライド移動可能とするための付設部移動機構Ａと、呼出ランプ１の全体を欄間３の取付面３ｃから離間する方向にスライド移動可能とするための装置全体移動機構Ｂがある。
以下、これらの構成について、順に説明する。
【００２６】
（１）付設部移動機構
図４〜図１１に示すように、付設部移動機構Ａは、欄間３の取付面３ｃに固定される筐体１２の上面１２３に設けられた固定側機構部である筐体側機構部Ａ１と、その筐体１２に対して付設部２０を欄間３の取付面３ｃから離間する方向にスライド移動させるために当該付設部２０に設けられた移動側機構部である付設部側機構部Ａ２とにより構成されている。
【００２７】
筐体側機構部Ａ１は、所定の厚さを有した平面板状の部材を基部３０として備えている。
この平面板状の基部３０の上面３１１には、複数本の溝部３２（本実施形態においては、四本の溝部３２１〜３２４）が形成されている。
溝部３２は、細長い溝状に形成された凹部であって、複数本の溝部３２が、基部３０の上面３１１に、略等間隔で平行に形成されている（図５参照）。これら複数本の溝部３２が並ぶ方向は、この基部３０が筐体１２の上面１２３に取り付けられたときにおける、この筐体１２の背面１２２から当該筐体１２の正面１２５（筐体１２の前面）に向かう方向と略一致する。また、この方向は、当該呼出ランプ１が取り付けられた欄間３の取付面３ｃから直交する方向であって、当該取付面３ｃから離間する方向と一致する。
なお、本実施形態においては、呼出ランプ１が欄間３の取付面３ｃに取り付けられた場合において、その欄間３に最も近い位置に形成された溝部３２を第一溝部３２１とし、欄間３から最も遠い位置に形成された溝部３２を第四溝部３２４とする。
【００２８】
また、基部３０は、溝部３２が形成された上面３１１の面方向が水平方向となるように、筐体１２の上面１２３の中央部分に載置固定される。
板状の基部本体３１の四つの側面のうち、筐体１２の正面１２５側に位置してその正面１２５の面方向に平行な側面を第一側面３１２とし、この第一側面３１２に隣接するとともに、呼出ランプ１を正面１２５から見たときに左側に位置する側面を第二側面３１３とし、第一側面３１２に隣接するとともに第二側面３１３に対向する側面であって、呼出ランプ１を正面１２５から見たときに右側に位置する側面を第三側面３１４とし、筐体１２の背面１２２側に位置してその背面１２２の面方向に平行な側面を第四側面３１５とする。
このとき、第二側面３１３において、この第二側面３１３の横長形状の端部であって第一側面３１２の近傍には、この第二側面３１３から直交外方に向かって突設された円柱形状又は円筒形状の第一回転軸３３１が形成されている（図５、図７〜図９参照）。
また、第三側面３１４において、この第三側面３１４の横長形状の端部であって第一側面３１２の近傍には、この第三側面３１４から直交外方に向かって突設された円柱形状又は円筒形状の第二回転軸３３２が形成されている（図７〜図９参照）。
【００２９】
さらに、第四側面３１５には、当該基部３０を筐体１２に固定するために、断面Ｌ字状の第一係止部３４１と断面Ｌ字状の第二係止部３４２が形成されている（図５、図６参照）。これら第一係止部３４１と第二係止部３４２は、それぞれが筐体１２の一部に係止することによって、当該基部３０を筐体１２の上面１２３に固定可能となっている。
【００３０】
付設部２０は、ＬＥＤ２２１が実装された基板２２３を内蔵する点灯部２２と、基部３０の大部分を収容する中空の基部収容部２３とを有して構成されている。
点灯部２２は、透明若しくは半透明又は光透過率の高い合成樹脂などの材料で形成されており、ＬＥＤ２２１が光源として発光することで、当該点灯部２２が内部から照明されて点灯するようになっている。
なお、点灯部２２や基部収容部２３が複数の部品で構成されているときは、これら各部品をネジ２２５などで螺着固定することができる（図７参照）。
【００３１】
基部収容部２３は、図８（ｉ）、（ii）、図９（ｉ）、（ii）、図５、図７に示すように、基部３０のうちの第一係止部３４１と第二係止部３４２以外の部分の大半が収容される収容空間２３１と、この収容空間２３１と当該付設部２０の外部とを連通し、収容空間２３１に対する基部３０の挿通口となる開口２３２と、収容空間２３１に収容された基部本体３１の第二側面３１３に対向する第一側面対向部２３３と、基部本体３１の第三側面３１４に対向する第二側面対向部２３４と、基部３０の第一回転軸３３１の上面に当接する第一軸当接部２３５と、基部３０の第二回転軸３３２の上面に当接する第二軸当接部２３６と、基部本体３１の上面３１１に当接する上面当接部２３７と、基部本体３１の下面３１６に当接する下面当接部２３８と、基部３０の溝部３２に係合する係合部２４と、基部３０が収容空間２３１から脱離した状態で基部３０の第一回転軸３３１が係合する第一軸受２５１と、基部３０の第二回転軸３３２が係合する第二軸受２５２とを、付設部側機構部Ａ２として備えている。
【００３２】
収容空間２３１は、板状である基部本体３１の大半を収容可能な形状例えば、直方体状に形成された中空の空間部分である。
この収容空間２３１の側面を構成する第一側面対向部２３３と第二側面対向部２３４との間隔は、基部３０に形成された第一回転軸３３１と第二回転軸３３２のそれぞれの先端面同士の間隔と略同じ長さか、あるいは、これよりも若干長くなっている。
これにより、基部収容部２３の収容空間２３１に収容された基部３０は、第一側面対向部２３３に向かう方向に移動しようとしても、第一回転軸３３１の先端面が第一側面対向部２３３に当接するので、その第一回転軸３３１の突設方向への移動が制限されている。また、当該基部３０は、第二側面対向部２３４に向かう方向に移動しようとしても、第二回転軸３３２の先端面が第二側面対向部２３４に当接するので、その第二回転軸３３２の突設方向への移動が制限されている。
【００３３】
さらに、収容空間２３１に基部３０が収容された状態においては、基部３０の第一回転軸３３１の上面に第一軸当接部２３５が当接し、基部３０の第二回転軸３３２の上面に第二軸当接部２３６が当接し、基部３０の上面３１１又は溝部３２に係合部２４が当接又は係合し、基部３０の上面３１１に上面当接部２３７が当接し、基部３０の下面３１６に下面当接部２３８が当接しているので、基部３０は、それら第一軸当接部２３５と第二軸当接部２３６と係合部２４と上面当接部２３７と下面当接部２３８とにより上下から挟み込まれた状態となるため、上下方向への移動が制限されている。
【００３４】
そして、これらのように、収容空間２３１に収容された状態の基部３０は、第一回転軸３３１の突設方向への移動と第二回転軸３３２の突設方向への移動と上下方向への移動が制限されているが、開口２３２から収容空間２３１の内部へ向かって基部３０を収容する方向と、この方向とは反対の方向への基部３０の移動は、可能となっている。また、この基部３０の移動可能な方向は、相対的に、この基部３０に対する付設部２０の移動可能な方向となっており、この移動方向は、当該呼出ランプ１が欄間３の取付面３ｃに取り付けられた場合においてこの取付面３ｃから直交する方向であって、当該取付面３ｃから離間する方向と略同一となっている。これにより、付設部２０は、筐体１２が欄間３の取付面３ｃに固定された状態で、当該付設部２０の基部収容部２３に収容された基部本体３１の上面３１１の面方向のうち欄間３の取付面３ｃから離間する方向に移動可能となっている。しかも、付設部２０は、当該付設部２０の第一軸当接部２３５、第二軸当接部２３６、係合部２４、上面当接部２３７、下面当接部２３８が、基部本体３１の上面３１１等に接触又は近接した状態で、欄間３の取付面３ｃから離間する方向に、直線状にスライドしながら移動する。
【００３５】
なお、第一軸当接部２３５と第二軸当接部２３６の形状は、収容空間２３１に収容された基部３０の第一回転軸３３１の上面又は第二回転軸３３２の上面に当接可能な形状であればよく、特定の形状に限定されるものではないが、本実施形態においては、付設部２０の収容空間２３１においてそれら基部３０の第一回転軸３３１の上面又は第二回転軸３３２の上面に対向する面に立設された板状の突部であって、この板状の突部の稜線部が第一回転軸３３１の上面又は第二回転軸３３２の上面に接触するような形状に形成されている。
また、下面当接部２３８の形状は、収容空間２３１に収容された基部本体３１の下面３１６に当接可能な形状であればよく、特定の形状に限定されるものではないが、本実施形態においては、付設部２０の収容空間２３１において基部３０の下面３１６に対向する面に立設された板状の突部であって、この板状の突部の稜線部が基部３０の下面３１６に接触するような形状に形成されている。
【００３６】
係合部２４は、端部が下向きの鉤状に形成された凸部である。
この係合部２４を備えることにより、付設部２０と基部３０は、次のような係合状態となる。
例えば、当該呼出ランプ１が取り付けられた欄間３に対して付設部２０が最も近い位置にある場合、すなわち、付設部２０が筐体１２の上面１２３において図４（ｉ）に示す状態にある場合、係合部２４は、図８（ii）に示すように、複数の溝部３２のうち欄間３に最も近い位置にある第一溝部３２１に係合する。この状態において、付設部２０は、少しだけ力が加えられても、係合部２４が第一溝部３２１に係合しているので、当該位置からは容易には移動しない。
また、係合部２４が第一溝部３２１から脱離する程度に付設部２０に力を加えて当該付設部２０を欄間３から離間する方向にスライド移動させた場合、係合部２４は、第一溝部３２１から脱離し、その後、第二溝部３２２、第三溝部３２３、第四溝部３２４のそれぞれに対して順次係合していく。これにより、図４（ｉ）に示す状態にあった付設部２０が、図４（ii）に示す位置までスライド移動する。
例えば、図９（ii）に示すように、係合部２４が第四溝部３２４に係合した状態で付設部２０の移動を止めた場合、付設部２０は、係合部２４が第四溝部３２４に係合しているために、少しの力が加わった程度では当該位置からは容易には移動せず、この位置での静止状態が維持される。
【００３７】
付設部２０の係合部２４が基部３０の第四溝部３２４に係合して当該付設部２０が静止した後、さらにその付設部２０を欄間３から離間する方向にスライド移動させ、この付設部２０の背面２１が基部本体３１の第一側面３１２の近傍に達すると、係合部２４が基部３０の溝部３２に係合しない状態となり、また、付設部２０の第一軸当接部２３５と第二軸当接部２３６がそれぞれ基部３０の第一回転軸３３１又は第二回転軸３３２に当接しない状態となり、さらに、付設部２０の下面当接部２３８が基部本体３１の下面３１６に当接しない状態となる。そして、基部３０の第一回転軸３３１が付設部２０の第一軸受２５１に係合し、基部３０の第二回転軸３３２が付設部２０の第二軸受２５２に係合することで、付設部２０は、それら第一回転軸３３１と第二回転軸３３２とを軸として、自重により下方向に回動する（図４（iii）、図５参照）。これにより、付設部２０は、基部３０の第一側面３１２から下方に垂下して、筐体１２の正面１２５の中程を覆い隠す状態となる。
【００３８】
なお、付設部２０の係合部２４が基部３０の第四溝部３２４に係合した後、さらにその付設部２０を欄間３から離間する方向にスライド移動させて、基部３０の第一回転軸３３１が付設部２０の第一軸受２５１に係合し、基部３０の第二回転軸３３２が付設部２０の第二軸受２５２に係合した状態では、付設部２０が上方向に回動しないようになっている。その理由は、このような係合した状態で、付設部２０を上方向に回動させる外力を加えると、付設部２０の開口２３２の上辺である上面当接部２３７が基部本体３１の上面３１１に当接するからである。
【００３９】
ここまで説明したように、本実施形態の呼出ランプ１は、付設部２０と筐体１２との間に付設部移動機構Ａが設けられているために、付設部２０が、筐体１２の上面１２３上で、欄間３から離間する方向へのスライド移動が可能となっている（図４（ｉ）→（ii））。また、付設部２０は、欄間３から離間する方向にスライド移動した後に、その欄間３に近づく方向へのスライド移動も可能となっている（図４（ii）→（ｉ））。さらに、欄間３から最も離間した位置まで付設部２０をスライド移動させると、この付設部２０が基部本体３１の第一側面３１２から筐体１２の正面１２５に向かって回動して垂下するようになっている（図４（iii））。このような付設部２０の動きを可能としたことで、次のような効果を奏する。
例えば、図１０（ｉ）に示すように、幕板４が欄間３よりも張り出している場合において、欄間３の取付面３ｃに呼出ランプ１を取り付けようとしたときは、呼出ランプ１の付設部２０の背面２１が幕板４の下部に接触して、当該呼出ランプ１を欄間３に取り付けることができなくなることがある。
そこで、図１０（ii）に示すように、付設部２０を幕板４から離間する方向にスライド移動させる。しかも、この付設部２０が幕板４に接触しなくなるところまで、当該付設部２０をスライド移動させる。これにより、当該付設部２０が幕板４に接触することなく当該呼出ランプ１を欄間３に取り付けることができる。
また、図１０（ii）に示すように、付設部２０を筐体１２の正面１２５側に垂下させた場合には、付設部２０を幕板４の下部から大きく離間させることができるので、当該呼出ランプ１を確実に欄間３に取り付けることができる。
【００４０】
また、例えば、図１１（ｉ）に示すように、呼出ランプ１が欄間３の取付面３ｃに取り付けられている場合において、幕板４を開閉したときの当該幕板４の下辺の軌道Ｌに対して付設部２０が重なる位置にあるときは、開扉した幕板４の下辺が付設部２０の背面２１に当接するので、当該幕板４のそれ以上の開扉が阻害されてしまう。
そこで、図１１（ii）に示すように、付設部２０を欄間３の取付面３ｃから離間する方向にスライド移動させる。しかも、この付設部２０が軌道Ｌに重ならないところまでスライド移動させる。これにより、その幕板４の開閉に対して付設部２０が阻害しなくなるので、幕板４の開閉をスムーズに行うことができる。
また、図１１（ii）に示すように、付設部２０を筐体１２の正面１２５側に垂下させた場合には、幕板４の開閉軌道Ｌから付設部２０を大きく離間させることができるので、幕板４の開閉を確実に行うことができる。
【００４１】
さらに、基部本体３１の上面３１１には溝部３２が複数形成されており、付設部２０を欄間３から離間する方向にスライド移動させていくにしたがって、付設部２０の係合部２４が、それら複数の溝部３２に対して、順次係合していく。これにより、付設部２０の背面２１と欄間３の取付面３ｃとの間隔を、複数の間隔で段階的に切り替えながら、付設部２０をスライド移動させることができる。
そして、係合部２４が溝部３２に係合した状態でスライド移動を停止させると、この状態で付設部２０が静止し、この付設部２０に少しだけ力を加えただけでは移動しない定位した状態となる。
特に、欄間３よりも張り出した幕板４に付設部２０が接触しないように当該付設部２０をスライド移動させる場合には、付設部２０と欄間３との間隔が複数段階で切替可能となっている本発明の構造が、より効果的に作用する。すなわち、欄間３よりも張り出した幕板４の張り出し長さは、数ｍｍ〜十数ｃｍオーダーであり、幕板４は、開閉されない限り、その張り出した状態で静止している。一方、呼出ランプ１に設けられた基部本体３１に形成されている複数の溝部３２の間隔は、数ｍｍ間隔であり、幕板４の張り出し長さに近似又はこれよりも短い間隔となっている。このため、付設部２０は、スライド移動する距離を、幕板４の張り出し長さに応じて調整することができる。そして、調整後は、その幕板４に近接した箇所で定位させることができる。
【００４２】
しかも、上記のように、付設部２０の背面２１と欄間３の取付面３ｃとの間隔を複数の距離間隔で段階的に切り替えたり、付設部２０を筐体１２の正面１２５側に垂下したりすることが可能となっていることから、各遊技場ごとに欄間３や幕板４の寸法が異なって設計されている場合でも、それら遊技場ごとに設計された欄間３等の寸法に応じて、付設部２０をスライド移動させる距離や移動後の静止位置を適宜決定することができる。これにより、いずれの遊技場においても、欄間３よりも張り出した幕板４への付設部２０の接触を回避でき、かつ、幕板４の開閉を確実に実行可能とすることができる。
【００４３】
また、本発明の呼出ランプ１においては、幕板４への接触を回避可能な位置、又は、幕板４の開閉動作を確保可能な位置で、一旦位置決めされた付設部２０が、欄間３に近づく方向へスライド移動するのを規制するために、以下に説明するような位置決め部材４０を用いることができる。
【００４４】
位置決め部材４０は、図１２に示すように、棒状の本体部４１の下部に一又は二以上の突状部４２が形成されており、この突状部４２が、基部３０の本体３１に穿設された嵌入孔３５（３５１〜３５４）に挿入されることで、当該位置決め部材４０が基部本体３１の上面３１１に装着可能となっている。
嵌入孔３５は、基部本体３１においてその厚さ方向に穿設された貫通孔であって、基部本体３１に複数穿設されている。
基部本体３１において嵌入孔３５が穿設される位置は、これら複数の嵌入孔３５に装着された位置決め部材４０に付設部２０の背面２１が接触しているときに、この付設部２０の係合部２４が基部３０の複数の溝部３２のいずれかに係合することが可能な位置となっている。このため、嵌入孔３５は、溝部３２の数に位置決め部材４０の突状部４２の数を乗算して得られた積と同数形成されている。具体的に、本実施形態においては、溝部３２の数が四つであり、位置決め部材４０の突状部４２の数が二つであるため、嵌入孔３５の数は、計八つとなっている。
【００４５】
位置決め部材４０の装着と付設部２０のスライド移動は、次の手順で行うことができる。なお、ここでは、欄間３よりも張り出した幕板４に接触しないところまで付設部２０をスライド移動する場合の上記手順について説明する。
呼出ランプ１の筐体１２を欄間３の取付面３ｃに取り付けようとした場合において、この呼出ランプ１の付設部２０が、欄間３よりも張り出した幕板４に接触するとき、その呼出ランプ１を欄間３に取り付けていない状態で、付設部２０を当該呼出ランプ１の筐体１２の正面１２５に向かう方向にスライド移動させる。
このように付設部２０をスライド移動させた後の呼出ランプ１を欄間３の取付面３ｃに取り付けてみて、その付設部２０が幕板４に接触しない場合、この付設部２０の背面２１の直下に嵌入孔３５が穿設されているときは、この嵌入孔３５に位置決め部材４０を装着する。一方、その直下に嵌入孔３５が穿設されていないときは、さらに嵌入孔３５が穿設されている位置まで、付設部２０を筐体１２の正面１２５に向かう方向へスライド移動させ、移動後の付設部２０の背面２１の直下にある嵌入孔３５に位置決め部材４０を装着する。これにより、位置決め部材４０は、装着された位置を、付設部２０が幕板４に接触しない接触回避位置として指示する。
そして、付設部２０は、当該付設部２０の背面２１の下部が位置決め部材４０に接触するとともに、係合部２４が基部３０の溝部３２のいずれかに係合することで位置決めされる。
【００４６】
この手順を実行することにより、欄間３よりも張り出した幕板４に接触しない付設部２０の位置が接触回避位置として位置決め部材４０により機械的に記憶されるため、幕板４を開閉するたびに、付設部２０のスライド位置を調整する必要がない。
また、接触回避位置で位置決めされた付設部２０を他の店員が誤って欄間３に近づく方向にスライド移動させようとしても、この付設部２０の背面２１が位置決め部材４０に当接するので、それ以上のスライド移動が制限される。よって、他の店員による当該行為を抑制できる。
さらに、付設部２０が接触回避位置で静止固定された状態では、その付設部２０の背面２１が位置決め部材４０に接触するとともに、付設部２０の係合部２４が複数の溝部３２のいずれかに係合している状態となっている。これにより、付設部２０のガタツキを防止できる。
【００４７】
なお、ここでは、欄間３よりも張り出した幕板４に接触しない位置まで付設部２０をスライド移動させたときの位置決め部材４０の装着について説明したが、開閉する幕板４に接触しない位置まで付設部２０をスライド移動させたときの位置決め部材４０の装着についても同様のことが言える。すなわち、後者の場合は、呼出ランプ１を欄間３の取付面３ｃに取り付けた後、開いた幕板４が当接しない位置まで、付設部２０を欄間３から離間する方向へスライド移動させる。そして、この付設部２０の背面２１の直下に穿設された嵌入孔３５に位置決め部材４０を装着する。ただし、その直下に嵌入孔３５が穿設されていない場合は、嵌入孔３５が穿設されている位置まで、付設部２０を欄間３から離間する方向へスライド移動させ、この移動後の付設部２０の背面２１の直下に位置する嵌入孔３５に位置決め部材４０を装着する。これにより、幕板４の開閉動作が確保され、かつ、このように幕板４の開閉動作を確保可能な付設部２０の位置が接触回避位置として位置決め部材４０により機械的に記憶されるため、幕板４を開閉するたびに、付設部２０のスライド位置を調整する必要がない。
【００４８】
なお、位置決め部材４０に関するここまでの説明においては、接触回避位置に穿設されている嵌入孔３５に位置決め部材４０を装着し、この位置決め部材４０に接触する位置で付設部２０を静止固定することとしたが、位置決め部材４０の使用方法は、この方法に限るものではない。例えば、接触回避位置に穿設されている嵌入孔３５に位置決め部材４０を装着しておき、付設部２０を、接触回避位置以外の箇所、具体的には、付設部２０が欄間３の取付面３ｃから最大限離間した位置（例えば図４（ii）に示すように付設部２０が下方に垂下可能な状態）から位置決め部材４０の装着された接触回避位置までの間における任意の箇所に静止させておくようにすることもできる。このような使用方法を実施することにより、付設部２０を静止させておく位置を、幕板４の開閉軌道Ｌに接触しない範囲で、自由に決めることができる。例えば、一の島台５に取り付けられ横一列に並設された複数の呼出ランプ１のそれぞれにおいて、欄間３から付設部２０までの距離を揃えたい場合には、幕板４の開閉を阻害しない範囲で、それらの位置を揃えることができる。このとき、付設部２０の背面２１は、必ずしも位置決め部材４０に接触している必要はない。そして、このように付設部２０の位置を揃えた場合において、当該付設部２０が誤って欄間３に近づく方向にスライド移動されたとしても、位置決め部材４０が装着された位置よりも当該付設部２０を欄間３に近づけることができないので、欄間３よりも張り出した幕板４に接触することがなく、かつ、幕板４の開閉を阻害することがない。
【００４９】
また、図６等においては、嵌入孔３５が八つ穿設されているが、八つに限るものではなく、任意の数とすることができる。ただし、付設部２０が接触回避位置で静止固定された状態では付設部２０の係合部２４が複数の溝部３２のいずれかに係合していることが望ましいため、嵌入孔３５の数は、溝部３２の数の整数倍とすることが好ましい。
さらに、図１２においては、位置決め部材４０の突状部４２の数を二つとしているが、二つに限るものではなく、一又は二以上とすることができる。
また、位置決め部材４０の突状部４２の形状は、図１２においては、Ｌ字状となっているが、Ｌ字状に限るものではなく、例えば、Ｔ字状やロの字状など、嵌入孔３５の形状に応じて、この嵌入孔３５に挿入可能な形状とすることができる。
【００５０】
ここまで説明したように、本実施形態の呼出ランプ１は、付設部移動機構Ａを備えることにより、筐体１２を欄間３に固定した状態で付設部２０のみをスライド移動可能な構成となっているが、付設部２０のスライド移動は、本来、遊技場の店員が行うべきものであって、遊技場に来店した遊技客が悪戯にスライド移動させるべきものではない。
そこで、その呼出ランプ１には、付設部２０のスライド移動が遊技客により安易に行われるのを防止するための移動防止機構を備えることができる。
この移動防止機構の具体的な構造について、図１３（ｉ）、（ii）〜図１５（ｉ）、（ii）を参照して説明する。
【００５１】
（ａ）第一の移動防止機構
第一の移動防止機構５０は、図１３（ｉ）、（ii）に示すように、呼出ランプ１の基部３０の本体３１に形成された固定側被係合部である被係止孔５１と、棒状の軸方向が垂直方向となるように付設部２０に取り付けられ、下部端部が被係止孔５１に係止する棒状部材５２と、この棒状部材５２を下方向に付勢する付勢部材５３と、この付勢部材５３をその上面から抑止する抑止部５４とを備えた構成となっている。
被係止孔５１は、基部本体３１の厚さ方向に穿設された貫通孔であって、基部本体３１の上面３１１に形成された溝部３２（図５参照）の数と同数形成されている。また、被係止孔５１は、付設部２０の係合部２４が複数の溝部３２のいずれかに係合した状態で、棒状部材５２の下部端部が係止可能な位置に形成されている。よって、欄間３から離間する方向又は欄間３に近づく方向に付設部２０をスライド移動し、係合部２４がいずれかの溝部３２に係合したときは、棒状部材５２が複数の被係止孔５１のいずれかに係止できるようになっている。
【００５２】
棒状部材５２は、棒状の軸方向が垂直方向となるように、付設部２０に垂直方向に穿設された移動側被係合部である貫通孔２１２に移動可能に挿通（係合）されるとともに、上部が付設部２０の外部に露出した状態でその貫通孔２１２に係合する移動側係合部として機能する。
また、棒状部材５２は、付勢部材５３により下方向に付勢されており、その下方に被係止孔５１が位置している場合には、当該棒状部材５２の下部端部がその被係止孔５１に係止する固定側係合部として機能する。
この棒状部材５２の上部を指でつまみながら上方向に引き上げると（図１３（ii））、付勢部材５３は、付勢方向とは反対の方向に力が加わって収縮し、棒状部材５２の下部端部が被係止孔５１から脱離する。これにより、棒状部材５２の下部端部による被係止孔５１への係止が解除されるので、付設部２０は、欄間３から離間する方向へのスライド移動が可能となる。
【００５３】
この構成によれば、遊技場の遊技客が安易に付設部２０をスライド移動させる行為を防止できる。
例えば、付設部２０が欄間３に対して最も近づいた状態にある場合、すなわち、付設部２０が図４（ｉ）に示す状態の場合、この付設部２０の係合部２４が第一溝部３２１に係合しており、かつ、棒状部材５２の下部端部が被係止孔５１に係止する（図１３（ｉ）参照）。このように、棒状部材５２の下部端部が被係止孔５１に係止した状態では、欄間３から離間する方向に付設部２０をスライド移動させようとしたときに、その棒状部材５２の下部端部が被係止孔５１の内側面に当接するため、そのスライド移動が制限される。
そして、このように、付設部２０を欄間３から離間する方向にスライド移動させようとしたときに、単にスライド移動させる方向に力を加えただけでは、そのスライド移動が制限されるので、遊技客による付設部２０の安易な移動行為を防止できる。
【００５４】
また、棒状部材５２を、付勢部材５３の付勢方向に反する方向である上方向に引き上げて、棒状部材５２の下部端部を被係止孔５１から脱離させると、棒状部材５２の下部端部による被係止孔５１への係止が解除されるので、付設部２０は、欄間３から離間する方向へのスライド移動が可能となる。
そして、その方向にスライド移動させた付設部２０の係合部２４がいずれかの溝部３２に係合することで位置決めされて、当該付設部２０が静止した状態となると、棒状部材５２の下部端部が被係止孔５１に係止可能な状態となる。このとき、棒状部材５２の上方への引き上げを解除し、棒状部材５２の下部端部を対応する被係止孔５１に係止させることで、これ以上の付設部２０のスライド移動を制限することができる。
このように、棒状部材５２を上方へ引き上げるという操作を行って始めてその付設部２０のスライド移動が可能となることから、この引き上げ操作を行うことを煩わしく感じる遊技客に対して、その付設部２０の移動行為を躊躇させ、その移動行為を断念させて、当該移動の防止を図ることができる。
【００５５】
なお、棒状部材５２の下部底面には、斜面状のテーパ部５２１が形成されている。テーパ部５２１は、棒状部材５２の下部底面のうち、当該呼出ランプ１が取り付けられた欄間３に対向する側に形成されている。このため、欄間３から離間する方向にスライド移動させた付設部２０を欄間３に近づく方向に押し込む場合において、棒状部材５２の上方への引き上げを行わず、この棒状部材５２の下部端部が被係止孔５１に係止した状態となっているときでも、当該付設部２０を欄間３に近づく方向に押し込んだときには、棒状部材５２のテーパ部５２１が基部本体３１の被係止孔５１の上縁部に当接し、そのテーパ部５２１のテーパ面に沿って棒状部材５２が上方へ持ち上がることで、被係止孔５１から脱離する。よって、欄間３に近づく方向に付設部２０を押し込むときは、棒状部材５２を上方へ引き上げる操作を行うことなく、当該付設部２０を当該方向へスライド移動させることができる。
【００５６】
ここまで説明した第一の移動防止機構５０では、棒状部材５２の下部端部が基部本体３１の被係止孔５１に係止しており、その棒状部材５２を上方へ引き上げることで、被係止孔５１への係止が解除されて、付設部２０を欄間３から離間する方向へスライド移動させることができる。ただし、付設部２０のスライド移動を防止する機構としては、このような構成に限るものではなく、例えば、棒状部材を下方へ押し込むことで、付設部２０を欄間３から離間する方向へスライド移動する構成とすることもできる。
この構成を第二の移動防止機構６０として、次に説明する。
【００５７】
（ｂ）第二の移動防止機構
第二の移動防止機構６０は、図１４（ｉ）、（ii）に示すように、呼出ランプ１の基部３０の本体３１に形成された固定側被係合部である被係止孔６１と、一方の端部に下向き鉤状の鉤部６２１が形成されてこの鉤部６２１が被係止部６１に係止する固定側係合部である棒状又は板状の可動部材６２と、この可動部材６２の水平状態を維持するための付勢部材６３と、棒状の軸方向が垂直方向となるように付設部２０に取り付けられ、可動部材６２の他方の端部を上方から押下して、被係止孔６１に対する可動部材６２の鉤部６２１の係止を解除する棒状部材６４とを備えた構成となっている。
【００５８】
被係止孔６１は、第一の移動防止機構５０の被係止孔５１と同様、基部本体３１の厚さ方向に穿設された貫通孔であって、基部本体３１の上面３１１に形成された溝部３２（図５参照）の数と同数形成されている。また、被係止孔６１は、付設部２０の係合部２４が複数の溝部３２のいずれかに係合した状態で、可動部材６２の鉤部６２１が係止可能な位置に形成されている。よって、欄間３から離間する方向又は欄間３に近づく方向に付設部２０を移動し、係合部２４がいずれかの溝部３２に係合したときは、可動部材６２の鉤部６２１が複数の被係止孔６１のいずれかに係止するようになっている。
【００５９】
可動部材６２は、当該可動部材６２を支持する軸６５を中心として回動可能に付設部２０に軸支されている。また、可動部材６２は、付勢部材６３により棒状の軸方向又は板状の長手方向が水平な状態で維持されている。さらに、可動部材６２は、その水平状態で、一方の端部に形成された鉤部６２１が被係止孔６１に係止するようになっている。
なお、付勢部材６３には、例えば、つる巻きバネなどを用いることができる。
【００６０】
棒状部材６４は、棒状の軸方向が垂直方向となるように、付設部２０に垂直方向に穿設された移動側被係合部である貫通孔２１３に移動可能に挿通（係合）されるとともに、上部が付設部２０の外部に露出した状態でその貫通孔２１３に係合する移動側係合部として機能する。
この棒状部材６４の上部周面を指でつまんで（あるいは、上部端面を指で押して）、当該棒状部材６４を下方へ押し下げると（図１４（ii））、この棒状部材６４の下部端面が可動部材６２の他端に接触して当該他端を下方へ押し下げ、軸６５を中心として可動部材６２が回動し、当該可動部材６２の一端が持ち上げられて、この一端に形成されている鉤部６２１が被係止孔６１から脱離する。これにより、可動部材６２の鉤部６２１による被係止孔６１への係止が解除されるので、付設部２０は、欄間３から離間する方向への移動が可能となる。
【００６１】
この構成によれば、遊技場の遊技客が安易に付設部２０をスライド移動させる行為を防止できる。
例えば、付設部２０が欄間３に対して最も近づいた状態にある場合、すなわち、付設部２０が図４（ｉ）に示す状態の場合、この付設部２０の係合部２４が第一溝部３２１に係合しており、かつ、可動部材６２の鉤部６２１が被係止孔６１に係止する（図１４（ｉ）参照）。このように、可動部材６２の鉤部６２１が被係止孔６１に係止した状態では、欄間３から離間する方向に付設部２０をスライド移動させようとしたときに、可動部材６２の鉤部６２１が被係止孔６１の内側面に当接するため、そのスライド移動が制限される。
そして、このように、付設部２０を欄間３から離間する方向にスライド移動させようとしたときに、単にスライド移動させる方向に力を加えただけでは、そのスライド移動が制限されるので、遊技客による安易な付設部２０の移動行為を防止できる。
【００６２】
また、棒状部材６４を下方向に押し下げると、可動部材６２の他端が押し下げられ、軸６５を中心として当該可動部材６２が回動し、鉤部６２１が被係止孔６１から脱離するので、付設部２０を欄間３から離間する方向にスライド移動が可能となる。
そして、その方向にスライド移動させた付設部２０の係合部２４がいずれかの溝部３２に係合することで位置決めされて、付設部２０が静止した状態となると、可動部材６２の鉤部６２１が対応する被係止孔６１に係止可能となる。このとき、棒状部材６４の下方への押し下げを解除すると、付勢部材６３による付勢により可動部材６２が回動後の傾斜状態から水平状態に変移して、可動部材６２の鉤部６２１が対応する被係止孔６１に係止することで、これ以上の付設部２０のスライド移動を制限することができる。
このように、棒状部材６４を下方へ押し下げるという操作を行って始めてその付設部２０のスライド移動が可能となることから、この押し下げ操作を行うことを煩わしく感じる遊技客に対して、その付設部２０の移動行為を躊躇させ、その移動行為を断念させて、当該移動の防止を図ることができる。
【００６３】
なお、可動部材６２の鉤部６２１のうち、欄間３に対向する面には、斜面状のテーパ部６２２が形成されている。このため、欄間３から離間する方向にスライド移動させた付設部２０を欄間３に近づく方向に押し込む場合において、棒状部材６４の下方へ押し下げを行わず、かつ、可動部材６２の鉤部６２１が被係止孔６１に係止した状態となっているときでも、当該付設部２０を欄間３に近づく方向に押し込んだときには、可動部材６２のテーパ部６２２の斜面が基部本体３１の被係止孔６１の上縁部に当接し、その斜面に沿って可動部材６２の鉤部６２１が上方へ持ち上がることで、当該可動部材６２の鉤部６２１が被係止孔６１から脱離する。よって、欄間３に近づく方向に付設部２０を押し込むときは、棒状部材６４を押し下げる操作を行うことなく、当該付設部２０を欄間３に近づく方向に移動させることができる。
【００６４】
ここまで説明した第一の移動防止機構５０と第二の移動防止機構６０は、いずれも、基部本体３１の上面３１１である水平面に形成された被係止孔５１、６１に棒状部材６４の下部端部又は可動部材６２の鉤部６２１を係止することで、遊技客による安易な付設部２０の移動を防止している。
ただし、被係止孔は、基部本体３１の上面３１１に形成することに限るものではなく、例えば、基部本体３１の上面３１１に立設した板状部に形成することもできる。
この構成を第三の移動防止機構７０として、次に説明する。
【００６５】
（ｃ）第三の移動防止機構
第三の移動防止機構７０は、図１５（ｉ）、（ii）に示すように、基部本体３１の上面３１１に立設形成された板状部７１と、この板状部７１の厚さ方向に貫通孔として穿設された固定側被係合部である被係止孔７２と、一方の端部が鉤状の鉤部７３１として形成された固定側係合部である棒状又は板状の可動部材７３と、この可動部材７３の他方の端部を押すことでその可動部材７３を傾倒させる棒状部材７４とを備えた構成となっている。
【００６６】
被係止孔７２は、板状部７１に複数穿設されており、一の板状部７１に形成される被係止孔７２の数は、基部本体３１の上面３１１に形成された溝部３２（図５参照）の数と同数となっている。
また、被係止孔７２は、複数の溝部３２のいずれかに付設部２０の係合部２４が係合した状態で、可動部材７３の鉤部７３１が係止可能な位置に形成されている。よって、欄間３から離間する方向又は欄間３に近づく方向に付設部２０を移動し、係合部２４がいずれかの溝部３２に係合したときは、可動部材７３の鉤部７３１が複数の被係止孔７２のいずれかに係止するようになっている。
【００６７】
可動部材７３は、当該可動部材７３を支持する軸７６を中心として回動可能に軸支されている。また、可動部材７３は、棒状又は板状に形成されており、棒状の軸方向又は板状の長手方向が垂直方向となるように、第一付勢部材７３２により付勢されている。さらに、可動部材７３は、その垂直状態のときに、一方の端部に形成された鉤部７３１が被係止孔７２に係止するようになっている。
なお、第一付勢部材７３２には、例えばコイルばねなどを用いることができる。
【００６８】
棒状部材７４は、棒状の軸方向が水平方向となるように、付設部２０に水平方向に穿設された移動側被係合部である貫通孔２１４に移動可能に挿通（係合）されるとともに、この貫通孔２１４に係合する移動側係合部として機能する。また、棒状部材７４は、一方の端部が可動部材７３の他方の端部に接触しており、他方の端部が付設部２０の外部に露出した状態となっている。さらに、棒状部材７４は、例えば円筒形状かつ螺旋状に巻かれたコイルばねなどの第二付勢部材７５により付設部２０の外部に向かう方向に付勢されており、これにより、当該棒状部材７４のうち他方の端部が所定の長さで付設部２０の外部に露出した状態で維持されている。
この棒状部材７４を、付設部２０の内部に向かう方向、すなわち、第二付勢部材７５による付勢の方向とは反対の方向に力を加えて押し込むと、この棒状部材７４の一方の先端が、接触している可動部材７３の他方の端部を押す。これにより、可動部材７３は、軸７６を中心として回動して垂直状態から傾倒し、鉤部７３１が被係止孔７２から脱離する方向へ移動することで、可動部材７３の鉤部７３１による被係止孔７２への係止が解除される。
また、棒状部材７４を押し込んでいた力を解除すると、この棒状部材７４が、第二付勢部材７５による付勢により、付設部２０の外部へ向かう方向に移動し、可動部材７３への押圧が解除される。これにより、可動部材７３は、第一付勢部材７３２による付勢により、軸７６を中心として傾倒状態から垂直状態へ回動し、鉤部７３１が板状部７１の被係止孔７２の一つに係止することで、付設部２０の移動が抑制される。
【００６９】
この構成によれば、遊技場の遊技客が安易に付設部２０をスライド移動させる行為を防止できる。
例えば、付設部２０が欄間３に対して最も近づいた状態にある場合、すなわち、付設部２０が図４（ｉ）に示す状態の場合、この付設部２０の係合部２４が第一溝部３２１に係合しており、かつ、可動部材７３の鉤部７３１が被係止孔７２に係止する。このように、可動部材７３の鉤部７３１が被係止孔７２に係止した状態では、欄間３から離間する方向に付設部２０をスライド移動させようとしたときに、可動部材７３の鉤部７３１が被係止孔７２の内側面に当接するため、そのスライド移動が制限される。
そして、このように、付設部２０を欄間３から離間する方向にスライド移動させようとしたときに、単にスライド移動させる方向に力を加えただけでは、そのスライド移動が制限されるので、遊技客による安易な付設部２０の移動行為を防止できる。
【００７０】
また、棒状部材７４を、付設部２０の内部に向かう方向に押し込むと、可動部材７３が軸７６を中心として傾倒し、この可動部材７３の鉤部７３１が被係止孔７２から脱離して、可動部材７３の鉤部７３１による被係止孔７２への係止が解除されるので、付設部２０は、欄間３から離間する方向へのスライド移動が可能となる。
そして、その棒状部材７４を付設部２０の内部に向かって押し込んだ状態を維持しながら、付設部２０を欄間３から離間する方向へスライド移動させ、付設部２０の係合部２４がいずれかの溝部３２に係合したところで、棒状部材７４の押し込みを解除すると、可動部材７３の鉤部７３１が対応する被係止孔７２に係止する。これにより、付設部２０をスライド移動させようとしても、可動部材７３の鉤部７３１が被係止孔７２に係止しているため、これ以上の付設部２０のスライド移動が制限される。
このように、棒状部材７４を押し込むという操作を行って始めてその付設部２０のスライド移動が可能となることから、この押し込み操作を行うことを煩わしく感じる遊技客に対して、その付設部２０の移動行為を躊躇させ、その移動行為を断念させて、当該移動の防止を図ることができる。
【００７１】
なお、ここまでの第三の移動防止機構７０の説明においては、棒状部材７４を付設部２０の内部に向かって押し込みながら付設部２０を欄間３から離間する方向にスライド移動させることについて説明したが、付設部２０を欄間３に近づく方向にスライド移動させる場合にも、棒状部材７４を付設部２０の内部に向かって押し込みながらその移動を行うようになっている。
また、図１５（ii）においては、板状部７１が二つ図示されているが、板状部７１は、二つに限るものではなく、一つでもよい。この場合、その省略した板状部７１に対応する可動部材７３等についても省略することができる。
【００７２】
ここまで説明したように、本実施形態の呼出ランプ１は、付設部移動機構Ａを備えることにより、筐体１２を欄間３に固定した状態で付設部２０のみを移動可能な構成となっているが、この付設部２０の内部には、点灯部２２を点灯させるためのＬＥＤ２２１と、このＬＥＤ２２１に電流を流すためのケーブル２２４が配設されている。
ケーブル２２４は、データ表示部１１の制御部１１６から付設部２０のＬＥＤ２２１に電流を流すための電気配線であって、一端に取り付けられた端子２２７が、ＬＥＤ２２１の搭載された基板２２３のコネクタ２２６に接続され（図８（ii）、図９（ii）参照）、他端に取り付けられた端子２２７（図示せず）が、データ表示部１１に設けられた所定のコネクタ（図示せず）に接続されている。
このケーブル２２４が配設された付設部２０を欄間３から離間する方向に移動させたとき（例えば、付設部２０が図９（ｉ）、（ii）に示す状態にあるとき）、この付設部２０の点灯部２２の内部に設けられた基板２２３に搭載されているコネクタ２２６が基部本体３１の上面３１１から離れた位置にあるため、ケーブル２２４は、基部本体３１の下面３１６に沿って、延伸した状態となる。
これに対し、付設部２０を欄間３に近づく方向に移動させたとき（付設部２０が図８（ｉ）、（ii）に示す状態にあるとき）、この付設部２０の点灯部２２の内部に設けられた基板２２３に搭載されているコネクタ２２６が基部本体３１の上面３１１に近づくため、ケーブル２２４は、付設部２０の内部で撓んだ状態となる。
【００７３】
ケーブル２２４は、基部本体３１の下面３１６に沿って配設されるが、このようにケーブル２２４を配設させるために、その下面３１６には、そのケーブル２２４を支持するガイド３６が四つ形成されている（第一ガイド３６１〜第四ガイド３６４）。
これらのうち、第一ガイド３６１と第二ガイド３６２は、その下面３１６の中央に、そのケーブル２２４の配設経路に沿って併設されている。
そして、基部本体３１の下面３１６とＬ字状の第一ガイド３６１との間、及び、基部本体３１の下面３１６とＬ字状の第二ガイド３６２との間のそれぞれに、ケーブル２２４を通すことで、当該ケーブル２２４をその下面３１６に沿って配設することができる。
【００７４】
また、基部本体３１の下面３１６において、第一ガイド３６１と基部本体３１の第一側面３１２との間には、凵の字状の第三ガイド３６３が形成されている。
第三ガイド３６３は、ケーブル２２４の撓む方向が基部本体３１の下面３１６から下方へ向かう方向とならないように、そのケーブル２２４の撓みを抑制するものである。
例えば、付設部２０の第一軸受２５１に基部３０の第一回転軸３３１が係合し、第二軸受２５２に第二回転軸３３１が係合しているとき（付設部２０と基部３０との位置関係が図６に示す状態にあるとき）、付設部２０の開口２３２と第一ガイド３６１との間隔が広くなっている。
仮に、第三ガイド３６３が形成されていない場合に、付設部２０を欄間３に近づく方向に移動させると、ケーブル２２４の端子２２７が接続されたコネクタ２２６が基部本体３１の上面３１１に近づいて、それら開口２３２と第一ガイド３６１との間で、ケーブル２２４が基部本体３１の下面３１６から下方へ向かう方向に撓むようになる。そして、開口２３２と第一ガイド３６１とが最も接近すると、この間にケーブル２２４が挟み込まれた状態となり、ケーブル２２４の絶縁被膜が損傷する可能性がある。
【００７５】
そこで、基部本体３１の第一側面３１２と第一ガイド３６１との間に、第三ガイド３６３を設けることとした。
これにより、付設部２０の開口２３２と第一ガイド３６１との間において、基部本体３１の下面３１６から下方向へのケーブル２２４の撓みを抑制でき、この部分におけるケーブル２２４の挟み込みを回避して、当該ケーブル２２４の絶縁被膜の損傷を防止できる。
また、第三ガイド３６３に限らず、第一ガイド３６１や第二ガイド３６２の各間も、ケーブル２２４が基部本体３１の下面３１６から下方向に撓むのを防止可能な間隔で配置されている。これにより、その基部本体３１の下面３１６におけるケーブル２２４の挟み込みを回避でき、当該ケーブル２２４の損傷を防止できる。
なお、付設部２０を図６に示す状態まで移動させた後、さらにその付設部２０を欄間３に近づく方向に移動させたとき、ケーブル２２４は、図８（ii）に示すように、基部本体３１の上面３１１から上方へ向かう方向に撓むようになる。このようにケーブル２２４が撓んだ方向の周囲では、付設部２０と基部３０がケーブル２２４を挟み込む構造とはなっていないため、ケーブル２２４の絶縁被膜が損傷することがない。
【００７６】
また、第二係止部３４２の中央部分には、Ｌ字状の第四ガイド３６４が形成されている。この第四ガイド３６４は、ケーブル２２４の配設経路を、筐体１２の内側面に沿わせるとともに、この部分での撓みを抑制し、かつ、他のガイド３６１、３６２におけるケーブル２２４の外れを防止するためのものである。
【００７７】
以上の説明においては、呼出ランプ１の筐体１２を欄間３の取付面３ｃに固定した状態で付設部２０のみのスライド移動を可能とする付設部移動機構Ａを備えた構成について詳述した。
ただし、幕板４への付設部２０の接触や幕板４の開閉の阻害を回避するための手法としては、呼出ランプ１の一部である付設部２０のみをスライド移動させる手法の他に、例えば、呼出ランプ１の全体を欄間３の取付面３ｃから離間する方向へスライド移動させるための装置全体移動機構を設けることが挙げられる。
この装置全体移動機構の構成について、図１６を参照して説明する。
【００７８】
（２）装置全体移動機構
装置全体移動機構Ｂの具体例として、呼出ランプ１の全体を欄間３の取付面３ｃから離間する方向にスライド移動可能とするための摺動機構８０ａについて説明する。
【００７９】
摺動機構８０ａは、図１６に示すように、呼出ランプ１が取り付けられる取付面３ｃを有する部材である欄間３に設けられる固定側機構部であって円筒形状又は矩形筒状の筒状部材８１ａと、呼出ランプ１の筐体１２に設けられた移動側機構部であって円柱形状又は角柱形状の柱状部材８２ａとを有して構成されている。
筒状部材８１ａは、欄間３の厚さ方向に穿設された貫通孔３ａの内側に嵌合される筒状の部材であって、筒状の一方の開口が欄間３の一方の表面（呼出ランプ１が取り付けられる取付面３ｃ）と略同一面をなし、筒状の他方の開口が欄間３の他方の表面（裏側面）から直交外方に突出した箇所に位置するようになっている。
【００８０】
柱状部材８２ａは、呼出ランプ１の筐体１２の背面１２２から直交外方に向かって突設された円柱形状又は角柱形状の部材であって、筒状部材８１ａの内径と同じ長さの外径を有しており、筒状部材８１ａの内部に挿通されるとともに、その筒状部材８１ａの内面に当該柱状部材８２ａの周面が接しながら挿通方向に摺動可能となっている。
また、柱状部材８２ａは、この周面に、半球状の凸部８３ａが一又は二以上（図１６においては、二つ）形成されており、筒状部材８１ａの内面に複数形成された凹部８４ａのいずれかに係合するようになっている。
この筒状部材８１ａの内面に形成された複数の凹部８４ａは、当該筒状部材８１ａの軸方向に沿って略等間隔で形成されている。この筒状部材８１ａの軸方向は、柱状部材８２ａの摺動方向であり、この柱状部材８２ａが突設された筐体１２を有する呼出ランプ１が欄間３の取付面３ｃから離間する方向にスライド移動する方向と一致する。
【００８１】
このような構成からなる摺動機構８０ａを備えることにより、呼出ランプ１は、次のようにスライド移動させることができる。
まず、前提として、呼出ランプ１の筐体１２の背面１２２が欄間３に接触又は近接した状態となっているものとする。この状態では、柱状部材８２ａの凸部８３ａが、筒状部材８１ａの複数の凹部８４ａのうちの最も奥側に位置する凹部８４ａに係合する。
次に、呼出ランプ１の全体を欄間３から離間する方向へ少し引き出してスライド移動させる。これにより、柱状部材８２ａの凸部８３ａは、最初に係合していた筒状部材８１ａの凹部８４ａから脱離し、奥側から二番目に位置する凹部８４ａに係合する。
この状態で呼出ランプ１の移動を終了すると、柱状部材８２ａの凸部８３ａが上記の凹部８４ａに係合した状態で位置決めされて、この呼出ランプ１が静止する。
【００８２】
続いて、呼出ランプ１を欄間３から離間する方向へさらに引き出すと、柱状部材８２ａの凸部８３ａは、筒状部材８１ａの複数の凹部８４ａに対して順次係合していく。
そして、筒状部材８１ａの複数の凹部８４ａのうち最も手前側に位置する凹部８４ａに凸部８３ａが係合した状態になると、柱状部材８２ａの末端周面に突設された停止ピン８５ａが筒状部材８１ａの奥側の端面８６ａに当接し、これ以上の呼出ランプ１の引き出す方向へのスライド移動が制限されるとともに、この状態で位置決めされて、呼出ランプ１が静止する。
このような手順を実行することにより、呼出ランプ１の全体を欄間３の取付面３ｃから離間する方向にスライド移動させることができる。
【００８３】
なお、ここまでの説明は、呼出ランプ１を引き出す方向にスライド移動させたときの手順の詳細であるが、呼出ランプ１を引き出した後、押し込む方向にスライド移動させる場合には、上記の手順とは逆の手順が行われる。
【００８４】
このような構成を有する摺動機構８０ａを備えることにより、呼出ランプ１の全体を欄間３から離間する方向にスライド移動させることができる。このため、例えば、呼出ランプ１を正面１２５側から見たときに当該呼出ランプ１の付設部２０が幕板４にかかっているような場合でも、当該呼出ランプ１をスライド移動させることにより、欄間３よりも張り出した幕板４への付設部２０の接触を回避することができる。また、その付設部２０を幕板４の開閉軌道Ｌから離間させることができ、その幕板４の開閉を支障なく行うことができる。
【００８５】
なお、図１６に示した摺動機構８０ａは、欄間３の取付面３ｃに対して直交方向に呼出ランプ１を移動可能とするものであるが、例えば、呼出ランプ１をその取付面３ｃから斜め下方向に移動可能な摺動機構８０ｂを呼出ランプ１及び欄間３に設けることもできる。
この摺動機構８０ｂは、図１７に示すように、欄間３に設けられる固定側機構部である筒状部材８１ｂと、呼出ランプ１の筐体１２の背面１２２に設けられる移動側機構部である柱状部材８２ｂとを備えており、筒状部材８１ｂは、内側面が下方向に傾斜した斜面となるように欄間３の貫通孔３ｂの内側に嵌合され、柱状部材８２ｂは、呼出ランプ１の筐体１２の背面１２２から斜め上方向に向かって突設されている。そして、この柱状部材８２ｂを筒状部材８１ｂに挿通するとともに、柱状部材８２ｂの凸部８３ｂを筒状部材８１ｂの凹部８４ｂに係合させながら、その筒状部材８１ｂの内部で柱状部材８２ｂを挿通方向に摺動することにより、呼出ランプ１の全体を欄間３から離間する方向あるいは欄間３に近づける方向にスライド移動させることができる。
しかも、この摺動機構８０ｂを適用した呼出ランプ１は、欄間３の取付面３ｃから斜め下方向に移動するため、図１６に示した摺動機構８０ａに比べて、呼出ランプ１の付設部２０を幕板４からより遠い位置に移動させることができる。よって、欄間３よりも張り出した幕板４への付設部２０の接触を回避でき、かつ、幕板４の開閉を確実に行うことができる。
【００８６】
なお、この摺動機構８０ｂにおいても、柱状部材８２ｂの末端周面に停止ピン８５ｂを突設することができる。この停止ピン８５ｂは、筒状部材８１ｂの複数の凹部８４ｂのうち最も手前側（欄間３の取付面３ｃ側）に位置する凹部８４ｂに凸部８３ｂが係合した後、さらに、呼出ランプ１を手前側に引き出したときに、筒状部材８１ｂの奥側の端面８６ｂに当接するようになっている。これにより、呼出ランプ１の引き出し過ぎによる筒状部材８１ｂからの柱状部材８２ｂの脱離を防止できる。
【００８７】
以上説明したように、本実施形態の遊技用表示機によれば、当該遊技用表示機が移動機構を備えたことにより、この遊技用表示機の全体又は一部を欄間の取付面から離間する方向にスライド移動させることができる。これにより、この遊技用表示機を正面から見たときに、当該遊技用表示機の上部に装着された装飾部品である付設部が、当該遊技用表示機が取り付けられた欄間の上辺を越えて幕板にかかっている場合でも、幕板への付設部の接触を回避でき、かつ、その幕板の開扉を確実に行うことができる。
【００８８】
以上、本発明の遊技用表示機の好ましい実施形態について説明したが、本発明に係る遊技用表示機は上述した実施形態にのみ限定されるものではなく、本発明の範囲で種々の変更実施が可能であることは言うまでもない。
例えば、上述した実施形態では、遊技用表示機の具体例として呼出ランプを挙げたが、遊技用表示機は、呼出ランプに限定されるものではなく、遊技機に関する所定の情報を報知する報知機能を備えるとともに、遊技機に併設された装置を遊技用表示機として本発明を適用することができる。
【００８９】
また、上述した実施形態では、呼出ランプのデータ表示部に設けられる表示手段の例として７セグメントディスプレイを挙げたが、表示手段は、７セグメントディスプレイに限るものではなく、液晶表示器などであってもよい。
さらに、図７においては、係合部が二つ形成されているが、二つに限るものではなく、一又は二以上とすることができる。
【００９０】
また、上述した実施形態では、基部本体に複数の溝部を形成し、付設部に鉤状の係合部を形成して、この係合部がいずれかの溝部に係合する構成としたが、この構成に限るものではなく、例えば、付設部に複数の溝部を形成し、基部に鉤状の係合部を形成して、この係合部がいずれかの溝部に係合する構成とすることもできる。
さらに、上述した実施形態では、基部本体に複数の溝部を形成し、付設部の係合部がいずれかの溝部に係合する構成としたが、この構成に限るものではなく、溝部や係合部を形成せず、無段階で付設部をスライド移動させる構成とすることもできる。
しかも、図５等に示す基部においては、嵌入孔が穿設され、この嵌入孔に位置決め部材が装着可能な構成となっているが、基部は、嵌入孔が穿設されておらず、位置決め部材の装着を想定しない形状のものであってもよい。
【００９１】
また、上述した実施形態では、欄間よりも幕板が張り出している場合において、呼出ランプの付設部を欄間から離間する方向へスライド移動させるときに、このスライド移動後の付設部の位置を、幕板に接触しない位置としたが、この位置に限るものではなく、その付設部をスライド移動させたことで当該呼出ランプが欄間の取付面に取り付け可能となったときに、その付設部の背面が幕板に接触する箇所に位置していてもよい。
【００９２】
さらに、上述した実施形態では、装置全体移動機構の摺動機構として呼出ランプの筐体の背面に柱状部材を設ける構成としたが、柱状部材に代えて筒状の部材を設ける構成としてもよい。この場合は、この筒状の部材が、欄間に嵌合された筒状部材の内部に摺動可能に挿入されて、呼出ランプの全体が欄間から離間する方向又は欄間に近づく方向にスライド移動可能となる。
また、上述した実施形態では、摺動機構の構成として、柱状部材の周面に凸部を設け、筒状部材の内面に複数の凹部を設ける構成としたが、この構成に限るものではなく、例えば、柱状部材の周面に複数の凹部を設け、筒状部材の内面に凸部を設けた構成とすることもできる。
さらに、上述した実施形態では、摺動機構の構成として、柱状部材の周面に凸部を設け、筒状部材の内面に複数の凹部を設ける構成としたが、これら凸部や凹部を設けない構成とすることもできる。
【００９３】
また、上述した実施形態における摺動機構の構成では、移動防止機構を備えない構成となっているが、摺動機構は、移動防止機構を備えた構成とすることができる。この場合、移動防止機構は、図１３（ｉ）、（ii）〜図１５（ｉ）、（ii）に示す構成のうちのいずれか一以上の構成を採用することができ、あるいは、図１３（ｉ）、（ii）〜図１５（ｉ）、（ii）に示す構成以外の構成であって、欄間の取付部から離間する方向に呼出ランプの全体をスライド移動させることを防止可能な構成を採用することができる。なお、図１３（ｉ）、（ii）〜図１５（ｉ）、（ii）に示す構成のうちのいずれか一以上の構成を採用する場合には、具体的に、次のような構造とすることができる。例えば、欄間の貫通孔に嵌合されている筒状部材の一方の開口端部を欄間の取付面から外方に突出させるようにし、図１３（ｉ）、（ii）に示す第一の移動防止機構の棒状部材を、その筒状部材の突出部分に形成された固定側被係合部である貫通孔に挿通して当該棒状部材を固定側係合部として機能させるとともに、この棒状部材の下部を柱状部材の移動側被係合部に係合させるようにする。そして、通常状態では、棒状部材の下部が固定側被係合部に係止することで柱状部材を摺動不能にして呼出ランプの安易なスライド移動を防止し、一方、棒状部材を上方へ引き上げて移動側被係合部に対する係合を解除することにより、呼出ランプのスライド移動を可能とすることができる。
【００９４】
さらに、上述した実施形態における摺動機構の構成では、位置決め部材を備えない構成となっているが、摺動機構は、位置決め部材を備えた構成とすることができる。この場合の具体的な構成として、例えば、柱状部材の周面に位置決め部材の突状部を嵌合可能な凹部を形成しておく。そして、呼出ランプを欄間から離間する方向にスライド移動させ、欄間よりも張り出した幕板に呼出ランプが接触しないところまで当該呼出ランプをスライド移動させた後、又は、開扉した幕板が呼出ランプに接触しないところまで当該呼出ランプをスライド移動させた後に、そのスライド移動を停止して、柱状部材の周面に形成された複数の凹部のうち筒状部材の端面に最も近い凹部に位置決め部材を嵌合する。これにより、その位置決め部材が嵌合された凹部の位置が接触回避位置となり、呼出ランプは、欄間に近づく方向へスライド移動しようとしても、位置決め部材が筒状部材の端面に接触するので、それ以上のスライド移動が制限される。よって、欄間よりも張り出した幕板への付設部の接触を回避でき、かつ、その幕板の開閉可能な状態が確保される。
【００９５】
また、図１６、図１７に示した装置全体移動機構では、当該移動機構を、呼出ランプの背面と欄間の取付面に設ける構成としたが、この構成に限るものではなく、呼出ランプの内部に当該移動機構を設ける構成とすることもできる。
さらに、上述した実施形態では、装置全体移動機構として摺動機構を挙げたが、これに限るものではなく、例えば、呼出ランプの背面と欄間とを接続するように二本の棒状部材又は二枚の板状部材を上下に平行配置してクランク状に呼出ランプを移動させるクランク機構や、断面が矩形Ｃ字状で長尺の鋼体レールの内部に同じく長尺の矩形棒状鋼体を挿入してスライドさせるスライドレール、周面に螺旋状のネジが施された棒状部材を回転させることでそのネジに沿って移動部材を移動させるボールねじなどを、装置全体移動機構として用いることができる。
【産業上の利用可能性】
【００９６】
本発明は、遊技機に併設され、遊技機に関する所定の情報を報知する機能を備えた装置に利用可能である。
【符号の説明】
【００９７】
１  呼出ランプ（遊技用表示機）
２  遊技機
３  欄間
３ｃ  取付面
４  幕板（上位部材）
１１  データ表示部
１２  筐体
１２２  背面
２０  付設部
２１  背面
２１２〜２１４  貫通孔（移動側被係合部）
２２１  ＬＥＤ（発光素子）
２２４  ケーブル
２４  係合部
２５１  第一軸受
２５２  第二軸受
３０  基部
３１  基部本体
３１２  第一側面
３１３  第二側面
３１４  第三側面
３１６  下面
３２（３２１〜３２４）  溝部
３３１  第一回転軸
３３２  第二回転軸
３６（３６１〜３６４）  ガイド
４０  位置決め部材
５０、６０、７０  移動防止機構
５１、６１、７２  被係止孔（固定側被係合部）
５２  棒状部材（移動側係合部、固定側係合部）
６２、７３  可動部材（固定側係合部）
６４、７４  棒状部材（移動側係合部）
８１ａ、８１ｂ  筒状部材
８２ａ、８２ｂ  柱状部材
Ａ  付設部移動機構
Ａ１  筐体側機構部
Ａ２  付設部側機構部
Ｂ  装置全体移動機構
【図１】
2014079466.tif 000003
【図２】
2014079466.tif 000004
【図３】
2014079466.tif 000005
【図４】
2014079466.tif 000006
【図５】
2014079466.tif 000007
【図６】
2014079466.tif 000008
【図７】
2014079466.tif 000009
【図８】
2014079466.tif 000010
【図９】
2014079466.tif 000011
【図１０】
2014079466.tif 000012
【図１１】
2014079466.tif 000013
【図１２】
2014079466.tif 000014
【図１３】
2014079466.tif 000015
【図１４】
2014079466.tif 000016
【図１５】
2014079466.tif 000017
【図１６】
2014079466.tif 000018
【図１７】
2014079466.tif 000019